(57)【特許請求の範囲】
【請求項１】
分岐管を接続する接続管が形成されたケースを流体管の外周面に装着し、前記接続管に連通する分岐孔を流体管の外周面に穿設した分岐管接続用管継手であって、
流体管外周面を向く止水面と、接続管の管軸方向を向く受圧面とからなる取付段部が前記接続管の基部に形成されるとともに、前記取付段部には、前記受圧面に当接するパッキン本体に、外面が前記止水面に当接し、その断面が先細りのテーパー状に形成された第１リップ部と、外面が分岐孔の周囲に沿って流体管外周面に当接し、その断面が先細りのテーパー状に形成された第２リップ部とが接続管の管軸方向に突出するように形成されてなる止水パッキンが装着されていることを特徴とする分岐管接続用管継手。
【請求項２】
前記受圧面とパッキン本体とに、止水パッキンの移動を防止する係合部が設けられるとともに、第２リップ部の先端が流体管方向に突出して形成されている請求項１に記載の分岐管接続用管継手。
【請求項３】
前記受圧面には、パッキン本体に突出形成された係合片を嵌合する係合凹部が形成されている請求項１に記載の分岐管接続用管継手。
【発明の詳細な説明】
【０００１】
【発明の属する技術分野】
本発明は、流体管に分岐管を接続する管継手であって、分岐管を接続する接続管が設けられたケースを流体管に装着し、接続管側より挿入したカッターにより流体管に穿孔したのちに、前記接続管に分岐管を接続する分岐管接続用管継手に関する。
【０００２】
【従来の技術】
流体管に分岐管を接続する管継手として、図７に示すような割Ｔ字管が知られている。
この従来の割Ｔ字管Ａは、流体管Ｐの外周部から互いに連結、分解可能なボルト孔を形成したフランジが設けてあるケースＢ、Ｃと、分岐管が接続されるフランジＤ１が端部に形成された接続管Ｄとからなる。ケースＢには、接続管Ｄが挿入される枝管部Ｅが突出形成され、その先端にはボルト孔が設けられたフランジＥ１が一体に形成されている。
【０００３】
接続管ＤのフランジＤ１には、分岐管のフランジのボルト孔と整合するボルト孔Ｄ２が孔設されるとともに、前記枝管部ＥのフランジＥ１のボルト孔に貫通するボルトＤ３が立設されている。接続管Ｄは円筒部が枝管部Ｅ内に挿入され、ボルトＤ３がフランジＥ１のボルト孔を貫通してナットＢ４、Ｂ５で固定されている。
【０００４】
断面が円形のパッキンＦは、リング状に形成されており、枝管部Ｅの内周面の基部に取り付けられている。この割Ｔ字管Ａは次のようにして流体管Ｐに設置される。
【０００５】
まず、流体管Ｐの所定位置の外周面にケースＢ，Ｃを外嵌し、フランジ同士をボルト・ナットで締め付けて設置する。
【０００６】
次に、ナットＢ４を緩め、各ナットＢ５を均等に回して接続管Ｄを流体管Ｐ側に移動させ、パッキンＦを接続管Ｄの円筒部の端部で流体管Ｐ外周面に圧着させる。パッキンＦの圧着後にナットＢ４を回しナットＢ５とでフランジＥ１を挟み込んで接続管ＤをケースＢに固定する。
【０００７】
設置が済んだ割Ｔ字管Ａの接続管ＤのフランジＤ１に穿孔機を取り付けて、カッターを流体管Ｐ側に送り出し、回転させながら流体管Ｐを穿孔する。次にカッターを穿孔機に引き戻し、切断片を回収して、穿孔機をフランジＤ１より取り外し、分岐管を接続して作業を終了する。
【０００８】
流体管Ｐに通水しながら分岐管を接続する場合は、接続管ＤのフランジＤ１に仕切弁を取り付けて一般に知られている不断水穿孔工事を行い、穿孔後に分岐管を仕切弁に接続することにより行われる。
【０００９】
【発明が解決しようとする課題】
前記従来の割Ｔ字管は、水密性を維持するためにパッキンを接続管で圧接する構造なので、流体管に取り付ける際に接続管を移動させる行為が必要であり、作業性が悪かった。また、パッキンを流体管外周面に強く押し付けて止水するので、応力緩和がおこるポリエチレン管等の軟質合成樹脂製の流体管に対しては使用することができないという問題があった。
【００１０】
本発明が解決しようとする課題は、上記問題を解決するためになされたもので、流体管への取り付け作業が容易で、応力緩和が発生するような軟質合成樹脂製の流体管にも使用することができる分岐管接続用管継手を提供する点にある。
【００１１】
【課題を解決するための手段】
上記課題を解決するために、本発明の分岐管接続用管継手は、分岐管を接続する接続管が形成されたケースを流体管の外周面に装着し、前記接続管に連通する分岐孔を流体管の外周面に穿設した分岐管接続用管継手であって、
流体管外周面を向く止水面と、接続管の管軸方向を向く受圧面とからなる取付段部が前記接続管の基部に形成されるとともに、前記取付段部には、前記受圧面に当接するパッキン本体に、外面が前記止水面に当接し、その断面が先細りのテーパー状に形成された第１リップ部と、外面が分岐孔の周囲に沿って流体管外周面に当接し、その断面が先細りのテーパー状に形成された第２リップ部とが接続管の管軸方向に突出するように形成されてなる止水パッキンが装着されていることを特徴としている。
本発明によれば、取付段部に止水パッキンが装着されたケースを流体管に設置することにより、受圧面により止水パッキンの接続管円周方向への移動を防止しながら、流体管外周面を向く止水面で止水パッキンを流体管外周面に押し付けることができるので、従来のように別体となっている接続管で止水パッキンを流体管に押し付ける作業が不要となり取付作業が簡素化される。
また、パッキン本体より突出して形成される第１、第２リップ部が止水面および流体管の外周面に当接して止水するので、第１、第２リップ部がパッキン本体を基に折れ曲がる様に変形するため過度の圧力を流体管に与えることがなくなり、軟質合成樹脂管に対しても使用することができる。
【００１２】
更に、流体管の内圧を第１、第２リップ部の内側に受けてそれぞれのリップ部の外面を止水面および流体管外周面に押し付けることができるので水密性がよくなり、流体管の多少の変形に対しても対応することができる。
また、第１、第２リップ部の断面がテーパー状に形成されているので両リップ部の基部が厚くなり止水パッキンの材質の弾性によりケースを設置した初期の流体管外周面への圧着力が増し、内圧が低い場合での水密性が良好となる。
【００１３】
前記受圧面とパッキン本体とに、止水パッキンの移動を防止する係合部が設けられるとともに、第２リップ部の先端が流体管方向に突出して形成されているのが好ましい。
このようにすると、流体管の変形などによりケースと流体管との距離が開いた場合でも、止水パッキンの移動が抑止されているのでケースと止水パッキンは接触し、第２リップ部が流体管方向に突出して形成されているので止水パッキンと流体管外周面が接触するので、ケースと流体管の水密性が確保される。
【００１４】
前記受圧面には、パッキン本体に突出形成された係合片を嵌合する係合凹部が形成されているのが好ましい。
このようにすると、係合片を係合凹部に嵌合することにより、止水パッキンをケースに移動を防止した状態で容易に取り付けることが出来る。
【００１５】
【発明の実施の形態】
以下、本発明の実施例を図面に基づいて説明する。
【００１６】
図１ないし図３は、本発明の第１実施例を示すもので、布設されているダクタイル鋳鉄等の流体管１の外周面に、ケース２が水密性を保持して装着されている。ケース２は、径方向に２分割可能な第１ケース２ａと第２ケース２ｂとからなり、対向面にフランジ２ｃ、２ｃが形成されてボルト・ナットで締結されている。ケース２は２分割に限らず３分割などであってよい。
【００１７】
第１ケース２ａには、流体管１に対してほぼ直交する方向を向く接続管３が一体に設けられており、その接続管３の先端には分岐管を接続するフランジ３ａが形成されている。
【００１８】
第１ケース２ａの内面で接続管３の基部には、接続管３の中心軸方向をほぼ向いた受圧面４ａと、流体管１の外周面の方向を向いた止水面４ｂとによって取付段部４が流体管１に設けられた分岐孔１ａに沿う状態で形成されている。
【００１９】
前記取付段部４には、受圧面４ａに当接するように受圧面４ａに沿った形状のパッキン本体５ａと、止水面４ｂに当接すると第１リップ部５ｂと、流体管１の外周面に当接する第２リップ部５ｃとよりなる止水パッキン５が取り付けられている。（図４参照）
【００２０】
第１リップ部５ｂは、パッキン本体５ａより接続管３の中心方向および止水面４ｂ方向に突出し、その断面は先端に向かって先細りとなるテーパー状に形成され、外面が止水面４ｂに当接している。
【００２１】
第２リップ部５ｃは、パッキン本体５ａより接続管３の中心方向および流体管１方向に突出し、その断面は先端に向かって先細りとなるテーパー状に形成され、外面が流体管１の外面に当接している。
本発明のケース２を用いて流体管１に分岐管（図示していない）を接続するには、次のようにして行われる。
【００２２】
まず、取付段部４に止水パッキン５を取り付けた第１ケース２ａを流体管１の所定位置に設置し、反対側より流体管１を覆うように第２ケース２ｂを設置して、第１ケース２ａ、第２ケース２ｂのフランジ２ｃ、２ｃ同士をボルト・ナットで締結して流体管１にケース２を固定する。
【００２３】
つぎに、接続管３のフランジ３ａに図示していない穿孔機を取り付け、円筒形のカッターを回転させながら前進させ、流体管１に分岐孔１ａを穿孔する。
【００２４】
そして、カッターを後退させて、切片を回収した穿孔機が撤去された接続管３に分岐管を接続して作業は終了する。
【００２５】
流体管１に通水した状態で分岐管を接続するには、接続管３のフランジ３ａに仕切弁を接続した後に、仕切弁に穿孔機を取り付けて上記作業を行うことによって行われる。
【００２６】
ケース２が、止水パッキン５を取付段部４に取り付けた第１ケース２ａと、第２ケース２ｂとで流体管１を挟み込むようにしてに取り付けられているので、止水パッキン５は、接続管３の軸方向を向いた受圧面４ａにより接続管３の径方向の移動を防止されながら、流体管１の外周面方向を向いた止水面４ｂにより流体管１の外周面に当接されるので、ケース２を流体管に取り付けるだけで容易に止水することが出来る。
【００２７】
また、第１、第２リップ部５ｂ、５ｃが、パッキン本体５ａより突出し、それぞれの外面が止水面４ｂ、流体管１の外周面に当接するように形成されているので、図５に示すように流体管１の内圧Ｐを第１、第２リップ部５ｂ、５ｃの内面が受け、両リップ部５ｂ、５ｃの外面が止水面４ｂおよび流体管１の外周面に押し付けられるので確実に止水することが出来る。
【００２８】
図４（ｃ）に示すように、止水パッキン５の自然状態で第２リップ部５ｃが流体管１方向に大きく突出しているので、ケース２を流体管１に取り付けたあとに流体管１が変形して、ケース２と流体管１の距離が開いた場合でも第２リップ部５ｃが流体管１の外周面に接触し止水する。
【００２９】
流体管１がポリエチレン等の軟質合成樹脂管であった場合でも、第１、第２リップ部５ｂ、５ｃが、パッキン本体５ａとの基部で曲がるので過度の応力を与えることがないので本発明の分岐管接続用管継手を使用することができる。
【００３０】
図６は、本発明の第２実施例を示すもので、受圧面４ａとパッキン本体５ａとに、止水パッキン５の移動を防止する係合部が設けられたものであり、ケース２や止水パッキン５は第１実施例と同様に構成されている。
【００３１】
止水パッキン５におけるパッキン本体５ａの外周面に係合片５ｄが突出形成さている。係合片５ｄは、流体管１の管軸方向および管軸直角方向の４ヶ所に設けられているが、６ヶ所や８ヶ所あるいは連続的に設けてもよい。
【００３２】
受圧面４ａには、前記止水パッキン５の係合片５ｄに対応する位置に係合凹部４ｃが設けられている。係合凹部４ｃは、係合片５ｄを圧縮して嵌合する大きさに形成されて容易に外れないようになっている。
【００３３】
止水パッキン５が取付段部４に、係合片５ｄおよび係合凹部４ｃによって移動できないように取り付けられているので、流体管１とケース２が相対移動した場合でも安定した水密性が保たれる。
【００３４】
以上、本発明の実施例を図面により説明してきたが、本発明の具体的な構成はこれに限定されるものではない。
例えば、第２実施例では、パッキン本体に係合片が突出形成され、受圧面に係合凹部が形成されていたが、受圧面に係合片を突出形成し、パッキン本体に係合凹部を形成してもよい。また、係合片及び係合凹部は、連続的に形成されていてもよい。
【００３５】
【発明の効果】
本発明によれば、取付段部に止水パッキンが装着されたケースを流体管に設置することにより、受圧面により止水パッキンの接続管円周方向への移動を防止しながら、流体管外周面を向く止水面で止水パッキンを流体管外周面に押し付けることができるので、従来のように別体となっている接続管で止水パッキンを流体管に押し付ける作業が不要となり取付作業が簡素化される。
また、パッキン本体より突出して形成される第１、第２リップ部が止水面および流体管の外周面に当接して止水するので、第１、第２リップ部がパッキン本体を基に折れ曲がる様に変形するため過度の圧力を流体管に与えることがなくなり、軟質合成樹脂管に対しても使用することができる。
【００３６】
更に、流体管の内圧を第１、第２リップ部の内側に受けてそれぞれのリップ部の外面を止水面および流体管外周面に押し付けることができるので水密性がよくなり、流体管の多少の変形に対しても対応することができる。
また、第１、第２リップ部の断面がテーパー状に形成されているので両リップ部の基部が厚くなり止水パッキンの材質の弾性によりケースを設置した初期の流体管外周面への圧着力が増し、内圧が低い場合での水密性が良好となる。
【００３７】
請求項２の発明によれば、流体管の変形などによりケースと流体管との距離が開いた場合でも、止水パッキンの移動が抑止されているのでケースと止水パッキンは接触し、第２リップ部が流体管方向に突出して形成されているので止水パッキンと流体管外周面が接触するので、ケースと流体管の水密性が確保される。
【００３８】
請求項３の発明によれば、係合片を係合凹部に嵌合することにより、止水パッキンをケースに移動を防止した状態で容易に取り付けることが出来る。
【図面の簡単な説明】
【図１】本発明の第１実施例における平面図である。
【図２】同じく、Ｉ−Ｉ断面図である。
【図３】同じく、ＩＩ−ＩＩ断面図である。
【図４】同じく、止水パッキンの（ａ）は平面図、（ｂ）は正面図、（ｃ）はＩＩＩ−ＩＩＩ断面図である。
【図５】同じく、取付段部の部分拡大断面図である。
【図６】本発明の第２実施例における取付段部の部分拡大断面図である。
【図７】従来例における、（ａ）は平面図、（ｂ）は正面図、（ｃ）はＩＶ−ＩＶ断面図である。
【符号の説明】
１        流体管
１ａ      分岐孔
２        ケース
２ａ      第１ケース
２ｂ      第２ケース
２ｃ      フランジ
３        接続管
３ａ      フランジ
４        取付段部
４ａ      受圧面
４ｂ      止水面
４ｃ      係合凹部
５        止水パッキン
５ａ      パッキン本体
５ｂ      第１リップ部
５ｃ      第２リップ部
５ｄ      係合片
【図１】
0004502158.tif 000002
【図２】
0004502158.tif 000003
【図３】
0004502158.tif 000004
【図４】
0004502158.tif 000005
【図５】
0004502158.tif 000006
【図６】
0004502158.tif 000007
【図７】
0004502158.tif 000008